(57)【特許請求の範囲】
【請求項１】
ファイバ心線と支持線を含む光ドロップケーブルに用いる光ドロップケーブル用コネクタにおいて、
前記光ドロップケーブルに沿って延在する本体と、前記本体の先端に設けられ相手コネクタに固定される固定部と、前記本体の後端に設けられる締め金具と、を備え、
前記締め金具は、前記ファイバ心線を取り付けるためのファイバ心線取付部と、前記締め金具の後方に設けた前記支持線を取り付けるための支持線取付部を備え、前記締め金具は、前記支持線取付部よりも前側の、前記締め金具の前方部を、前記本体の後端部に、ネジ留めすることによって、前記本体に固定可能である、防水機能を有していることを特徴とするコネクタ。
【請求項２】
前記支持線取付部は取付孔として形成されており、該取付孔に対する前記支持線の取付方向と交差する方向に前記取付孔と連通する支持線固定穴が設けられており、前記取付孔に挿入した前記支持線を前記支持線固定穴に設けた固定部材を利用して前記交差方向にて固定する請求項１に記載のコネクタ。
【請求項３】
前記取付孔は前記ファイバ心線取付部を挟み込む位置に複数設けられている請求項２に記載のコネクタ。
【請求項４】
前記支持線固定穴は、前記支持線の取付方向と略直交する方向に、前記支持線固定穴を越えて対向側にまで延びる深穴として設けられている請求項３に記載のコネクタ。
【発明の詳細な説明】
【技術分野】
【０００１】
本発明は、光ドロップケーブルに使用する光ドロップケーブル用コネクタに関する。
【背景技術】
【０００２】
例えば、光通信網の架空光ケーブルから光ファイバを各家屋に引き込む際に、光ドロップケーブルが使用される。この光ドロップケーブルには、少なくとも、屋内ケーブルと接続されるファイバ心線とケーブルを支持する支持線（吊線）が含まれる。これらのうち、特に、支持線は、光ドロップケーブルを支持固定するために使用され、一般には、家屋外壁に固定した屋外光成端キャビネット内の引留具に固定される。従来、このような引留具は、責任分界点（Ｐｏｉｎｔ  ｏｆ  Ｉｎｔｅｒｆａｃｅ）等の理由から、光ドロップケーブルを設置する際に、その都度、作業関係者によって設けられていた。この結果、作業に相当の時間を要し、作業効率の悪化、コスト高といった問題が生じていた。
【０００３】
特開２００７年２４０８５６号公報に、光ドロップケーブル用コネクタの一例が示されている。ここでは、屋外光成端キャビネットではなく、屋外壁面に作業者が設けた引留具に、支持線を固定することとされている。しかしながら、ここでも従来同様、支持線を固定するための引留具は、光ドロップケーブルを設置する際に、その都度、設けることとされているため、従来同様の問題が生じていた。
【０００４】
【特許文献１】特開２００７年２４０８５６号公報
【発明の開示】
【発明が解決しようとする課題】
【０００５】
本発明はこのような従来技術における問題点を解決するためになされたものであり、支持線を光ドロップケーブル用コネクタに直接固定できるようにして、支持線を固定する引留具等の固定部材を取り除いたコネクタを提供することを目的とする。
【課題を解決するための手段】
【０００６】
本発明の一つの観点によれば、ファイバ心線と支持線を含む光ドロップケーブルに用いる光ドロップケーブル用コネクタにおいて、前記ファイバ心線を取り付けるためのファイバ心線取付部と、前記支持線を取り付けるための支持線取付部を備えることを特徴とする。
【０００７】
上記コネクタにおいて、前記支持線取付部は取付孔として形成されており、該取付孔に対する前記支持線の取付方向と交差する方向に前記取付孔と連通する支持線固定穴が設けられており、前記取付孔に挿入した前記支持線を前記支持線固定穴に設けた固定部材を利用して前記交差方向にて固定するものであってもよい。
【０００８】
上記コネクタにおいて、前記取付孔は前記ファイバ心線取付部を挟み込む位置に２つ設けられていてもよい。
また、上記コネクタにおいて、前記支持線固定穴は、前記支持線の取付方向と略直交する方向に、前記支持線固定穴を越えて対向側にまで延びる深穴として設けられていてもよい。
更に、上記コネクタにおいて、防水機能を有するものであってもよい。
【発明を実施するための最良の形態】
【０００９】
図１に、本発明の好ましい一つの実施形態による光ドロップケーブル用コネクタ（以下、単に「コネクタ」と呼ぶ）３０をレセプタクル側コネクタ２０とともに斜視図で示す。これらコネクタ３０とレセプタクル側コネクタ２０は対で使用される。このため、コネクタ３０は、レセプタクル側コネクタ２０に対応させて「プラグ側コネクタ」と称されることもある。
【００１０】
レセプタクル側コネクタ２０は、例えば、屋外の光成端キャビネット内部や家屋外壁に設けられる。レセプタクル側コネクタ２０は、これらの場所において、例えば、矩形フランジ２１に設けたネジ穴２２を利用してネジ固定される。このとき、コネクタ３０を固定するプラグ固定部２６は、屋外に向かって突出した状態とされ、屋内ケーブルを固定する対向側の環状取付部２４は、屋内に向かって突出した状態とされる。
【００１１】
コネクタ３０は、プラグ固定部２６外周に設けたネジ切り２７を利用して、その外周を覆うような形でレセプタクル側コネクタ２０にネジ固定される。ネジ固定式とすることにより、コネクタ３０とレセプタクル側コネクタ２０の間にほとんど隙間を生じさせること無くそれらを固定できる。このため、従来のように、例えばキャビネット内部において、それらの固定部付近に防水処理を施す必要はない。
【００１２】
図２に、コネクタ３０に固定され得る一例としての光ドロップケーブル４０の断面構造を示す。光ドロップケーブル４０は、従来一般に使用されているもので足りる。光ドロップケーブル４０は、例えば、略一直線上に配置した２本のファイバ心線４２Ａ、４２Ｂと、これらの両側を挟み込むように配置した２本のテンションメンバ４６Ａ、４６Ｂと、更に、一方のテンションメンバ４６Ａの側方に添設した１本の支持線（吊線）４４を含む。これらのうち、ファイバ心線４２Ａ、４２Ｂとテンションメンバ４６Ａ、４６Ｂは、略楕円形状の樹脂製のファイバ心線被覆部４２’に埋設され、残る支持線４４は、ノッチ４７を介してファイバ心線被覆部４２’に添設された、樹脂製の略円形の支持線被覆部４４’に埋設される。ノッチ４７を設けたことにより、光ドロップケーブル４０を引き裂いて、ファイバ心線被覆部４２’と支持線被覆部４４’、別言すれば、ファイバ心線４２及びテンションメンバ４６と支持線４４を、使用に応じて容易に分離することができる。また、ファイバ心線４２Ａと４２Ｂの間にノッチ４８を設けることにより、断面中央部に埋設したファイバ心線４２Ａと４２Ｂを分離して、ファイバ心線４２Ａ或いは４２Ｂを容易に露出させることもできる。
【００１３】
図３に、本発明によるコネクタ３０の横面図を示す。理解を容易にするため、特に、支持線４４の取付部近辺は半断面図としてある。図４は、この取付部近辺における部分拡大図である。
【００１４】
コネクタ３０は、主に、金属製の略円筒形の本体５２と、この本体５２の先端に設けた、レセプタクル側コネクタ２０に固定される側の金属製のレセプタクル固定部５３と、本体５２の後端を塞ぐようにネジ固定される金属製の締め金具５４と、更に、本体５２と締め金具５４の内部に収容されるガスケット５８及びワッシャー６０から成る。締め金具５４の前方に設けた窪み部６９には、本体５２の円筒形後端部６８がネジ固定されるようになっており、この円筒後端部６８の内部に、ガスケット５８やワッシャー６０を収容できる。ガスケット５８の前面７１は、円筒形後端部６８の前側７３を利用して抑えられ、一方、ガスケット５８の後面７２は、締め金具５４によって、締め金具５４の環状面７０との間にワッシャー６０を挟み込んだ状態で抑えられる。
【００１５】
光ドロップケーブル４０をコネクタ３０に固定するため、締め金具５４には、１個のファイバ心線取付孔５６と２個の支持線取付孔５５Ａ、５５Ｂが設けてある。ファイバ心線４２、テンションメンバ４６、及び、支持線４４の延長方向に適合するように、これらファイバ心線取付孔５６及び支持線取付孔５５Ａ、５５Ｂは互いに並行に設けられている。これらのうち、ファイバ心線取付孔５６は貫通孔として、支持線取付孔５５は凹部として形成されている。貫通孔であるファイバ心線取付孔５６には、ファイバ心線４２とテンションメンバ４６が、ファイバ心線被覆部４２’によって被覆されたままの状態で貫通され、一方、凹部である支持線取付孔５５には、支持線４４が、支持線被覆部４４’によって被覆されたままの状態で挿入される。尚、支持線被覆部４４’やファイバ心線被覆部４２’は、支持線取付孔５５やファイバ心線取付孔５６への設置前に、ノッチ４７を利用して適当な長さ部分にわたって分離しておく。このように、従来のファイバ心線取付孔５６に加えて、支持線４４を固定するための支持線取付孔５５を設けたことにより、コネクタ３０自体に支持線４４を直接固定することが可能となるため、支持線４４の固定作業が容易となり、また、責任分解点を明確にすることができる。
【００１６】
ファイバ心線取付孔５６を貫通させたファイバ心線被覆部４２’は、ガスケット５８に設けた貫通孔６５をも貫通し、その後、本体５２の先端に設けたレセプタクル固定部５３において、ファイバ心線被覆部４２’からファイバ心線４２が露出され、これら露出したファイバ心線４２はレセプタクル側コネクタ２０と突合可能な状態で固定される。尚、ファイバ心線取付孔５６を設けたことによる、本体５２への水の浸入は、ガスケット５８によって防止され得る。ガスケット５８による水の浸入を効果的に防止するため、貫通孔６５は、ファイバ心線被覆部４２’の断面形状に対応する形状としてある。
【００１７】
支持線取付孔５５に挿入した支持線被覆部４４’を固定するため、支持線固定穴６２が設けてある。支持線固定穴６２は、支持線４４の取付方向と交差する方向において支持線取付孔５５と連通する。支持線取付孔５５に支持線被覆部４４’を挿入した後、支持線固定穴６２を通じて設けた固定ネジ６４を利用して、支持線４４を支持線４４の取付方向と交差する方向において固定できる。支持線固定穴６２は、支持線４４の取付方向と略直交する方向に、支持線固定穴６２を越えて対向側６６まで延びる深穴として形成してある。これにより、図４によく示されるように、支持線４４は、固定ネジ６４による突き刺し、押し込みを利用して、対向側６６内に撓んだ状態で固定され得る。この固定方法は、抜け強度を大にして、より確実な固定を可能とする。
【００１８】
尚、支持線取付孔５５は、例えば、ファイバ心線取付孔５６を挟み込むような位置に複数、例えば図示実施形態のように２つ設けるのが好ましい。支持線取付孔５５を複数設けることにより、支持線被覆部４４’をコネクタ３０に取り付ける際の支持線被覆部４４’のひねりを小さくすることができる。この点を図面を参照して説明すると、例えば、支持線被覆部４４’がファイバ心線被覆部４２’の上側に位置付けられているにもかかわらず、下側の支持線取付孔５５Ｂしか設けられていない場合には、支持線被覆部４４’を下側の支持線取付孔５５Ｂに取り付けるために、支持線被覆部４４’、ひいてはファイバ心線被覆部４２’に、大きなひねりを加える必要がある。このようなひねりは、ファイバ心線被覆部４２’のファイバ心線４２等に悪影響を及ぼすため、極力避けるべきである。このような場合、上側にも支持線取付孔５５Ａを設けておくことにより、上側の支持線取付孔５５Ａに支持線被覆部４４’を取り付けることができるため、ひねりを小さくすることができる。
【００１９】
尚、本実施形態では、支持線取付孔５５とファイバ心線取付孔５６を孔として説明したが、これらはファイバ心線４２や支持線４４を取り付けることができれば足り、必ずしも孔である必要はなく、凹部等であってもよい。従って、支持線取付孔５５、５６は、孔に限定されるものではない。また、支持線取付孔５５は、上の実施形態では２つ設ける例を示したが、勿論、３つ以上であってもよい。
【図面の簡単な説明】
【００２０】
【図１】本発明による光ドロップケーブル用コネクタを周辺部材とともに示す斜視図である。
【図２】本発明で使用できる光ドロップケーブルの断面構造の一例を示す図である。
【図３】本発明による光ドロップケーブル用コネクタの横面図である。
【図４】支持線の取付部近辺における部分拡大図である。
【符号の説明】
【００２１】
２０  レセプタクル側コネクタ
２１  矩形フランジ
２２  ネジ穴
２４  環状取付部
２６  プラグ固定部
２７  ネジ切り
３０  光ドロップケーブル用コネクタ
４０  光ドロップケーブル
４２  ファイバ心線
４２’  ファイバ心線被覆部
４４  支持線
４４’  支持線被覆部
４６  テンションメンバ
４７  ノッチ
４８  ノッチ
５２  本体
５３  レセプタクル固定部
５４  締め金具
５５  支持線取付孔
５６  ファイバ心線取付孔
５８  ガスケット
６０  ワッシャー
６２  支持線固定穴
６４  固定ネジ
６５  貫通孔
６６  対向側
６８  円筒形後端部
６９  窪み部
７０  環状面
７１  前面
７２  後面
７３  段部
【図１】
0004862174.tif 000002
【図２】
0004862174.tif 000003
【図３】
0004862174.tif 000004
【図４】
0004862174.tif 000005